(57)【要約】      （修正有）【課題】１つのゴルフ用ティでドライバー用とアイアン用の２つの役目をすると共に、ゴルフ用ティがティグラウンド上に飛散しないようにする２ウエイティを提供する。【解決手段】ゴルフボールを載せるドライバ用とアイアン用の２種類のティ部位を所定の開き角度位置に備えてなる２ウエイティブロック１０と、一端側に２ウエイティブロック１０を回動可能に取り付けると共に、数ｃｍ離れた他端側に貫通穴６を備えたプレートすなわち板状のアーム部１とからなる。貫通穴６にはティグラウンドに２ウエイティを回動可能に固定する軸部１７が挿嵌される。【選択図】図１
0003208817.tif 000002
【実用新案登録請求の範囲】
【請求項１】
所定の開き角度位置に２つのゴルフティを配設してなる２ウエイティブロックをプレートの一端側に回動可能に備え、前記プレートの他端側に貫通穴を備えたことを特徴とするゴルフ用２ウエイティ。
【請求項２】
２つのゴルフティの一方を、他のゴルフティに対して地面からの高さを異ならせたことを特徴とする請求項１記載のゴルフ用２ウエイティ。
【請求項３】
２つのゴルフティの一方を、地面からの高さを調整可能に構成したことを特徴とする請求項２記載の２ウエイティ。
【請求項４】
２ウエイティブロックをプレートに着脱可能にボルトで取り付けしたことを特徴とする請求項３記載のゴルフ用２ウエイティ。
【考案の詳細な説明】
【技術分野】
【０００１】  本考案はゴルフボールをクラブで打撃した際、飛散を防止したオフセット式ゴルフ用ティに関する。
【背景技術】
【０００２】  現在、使われているゴルフ用ティはゴルフボール直下のティグラウンドに直接差し込むタイプである。クラブでボールを打つとティも一緒にクラブに叩かれ、ティグラウンド上のどこかに飛び散るという状況が必ず発生する。そのため飛散したゴルフ用ティを捜すという作業が常態化している。ゴルフ用ティを探す手間を省くためティ台１にヒモ３を付けてゴルフ用ティの回収を容易にするものとして、特開２００７−１９５９４９号公報が提案されている。
【先行技術文献】
【特許文献】
【０００３】
【特許文献１】  特開２００７−１９５９４９号公報
【考案の概要】
【考案が解決しようとする課題】
【０００４】  ゴルフ場のティグラウンドでショットをした場合、ゴルファーはまず、ゴルフボールの行方を見定めた後、次にゴルフ用ティの行方を捜すことになるが、なかなか見つからずこれが結構、大変な作業となる。本考案はゴルフ用ティを探す作業を不要にし、楽しくゴルフプレイができるゴルフ用ティ（以下ティと称す）を提供することを目的とする。
【課題を解決するための手段】
【０００５】  図１および図１８に示すように本考案の２ウエイティは、ゴルフボールを載せるドライバ用とアイアン用の２種類のティ部位を所定の開き角度位置に備えてなる２ウエイティブロック（１０）と、一端側に前記２ウエイティブロック（１０）を回動可能に取り付け、数ｃｍ離れた他端側に貫通穴（６）を備えたプレートすなわち板状のアーム部とからなる構成とした。前記貫通穴（６）にはティグラウンドに２ウエイティを回動可能に固定（セット）する軸部（１７）が挿嵌される。【０００６】  さらに本考案の２ウエイティは現在、市販されているティ同様、ズボンのポケットに入る大きさとし、持ち運びに不便を感じさせない形態とした。【０００７】  さらに１個のティでドライバー用ティとアイアン用ティの両方を兼ね備えた構成とした。詳しくは前記２ウエイティブロック（１０）を９０度回転させる事でドライバー用とアイアン用に簡単に切り換えることが出来る構成とした。【０００８】  さらに本考案の２ウエイティは、２ウエイティブロック（１０）が破損する可能性を考慮し、２ウエイティブロック（１０）の交換を容易にした。詳しくは、アーム部（１）に対して２ウエイティブロック（１０）を市販の樹脂製ボルト（１００）を用い、手で締め付けるだけで取り付く構成とした。【０００９】  さらに本考案の２ウエイティは、ティグラウンドに差し込む軸部（１７）を使用しない時は、軸部（１７）をアーム部（１）の上面に設けてある，上部が開口した半円形のボス部（７）に差し込む事で、アーム部（１）と一体的に保持する構成とした。
【考案の効果】
【００１０】  上記構成により本考案の２ウエイティは、ゴルフボールを打った際、前記２ウエイティがティグラウンド上のどこかへ飛散することがなく、常に最初にセットしたティグラウンド上に存在する。従って、プレイヤーは２ウエイティを捜す手間が省ける。【００１１】  さらに、本考案の２ウエイティはドライバー用とアイアン用の２種類のティを一体化しており、プレイヤーは複数種類のティを持ち運びする必要がない。本考案の２ウエイティ１個を持つだけでよい。
【図面の簡単な説明】
【００１２】
【図１】  本考案の一実施例におけるオフセット式ゴルフ用２ウエイティの斜視図である。
【図２】  ２ウェイティの位置をアイアン用にセットした状態の図１の平面図である。
【図３】  図１の正面図である。
【図４】  図１の左側面図である。
【図５】  図１のドライバピースを９０°回動し２ウェイティの位置をドライバ用にセットした状態の正面図である。
【図６】  図５の左側面図である。
【図７】  図１を構成するアーム部品の平面図である。
【図８】  図７をＳ０−Ｓ０で切断した断面図である。
【図９】  図８の右側面図である。
【図１０】  図８の左側面図である。
【図１１】  図１を構成する２ウエイティの正面図である。
【図１２】  図１１の要部上面図である。
【図１３】  図１１の左側面図である。
【図１４】  図１１をＳ１−Ｓ１で切断したドライバピースの要部断面図である。
【図１５】  図１を構成するティセット用の軸部の正面図である。
【図１６】  図１を構成するアイアン用ティをティグラウンドにセットした状態の側面方向の要部断面図である。
【図１７】  図１を構成するドライバー用ティをティグラウンドにセットした状態の側面方向の要部断面図である。
【図１８】  図１を構成するアイアン用ティをティグラウンドにセットした状態でのクラブの力の変化を示す平面図である。
【考案を実施するための形態】
【００１３】  以下、図１〜図１８を用いて本考案の一実施例のゴルフ用２ウエイティ（５００）を説明する。本考案のゴルフ用２ウエイティ（５００）の構成部品はゴルフクラブに傷をつけないことを目的として、全て合成樹脂製又は木材製からなる。
【００１４】  まず、構成部品のベースとなるアーム部品（１）を図７〜図１０を用いて説明する。概略プレート状をなすアーム部品（１）は図７に示すように、上面から見ると左側のボス部（４）は角型形状をなし、右側の端部（５）は半円形状部をなす。前記ボス部（４）と前記半円形状部とを直線的に結んだシンプルな形状をなしている。
【００１５】  アーム部品（１）の中央部分は凹み（２）が設けられている。この凹み（２）は左側のボス部（４）に設けたねじ穴（３）に螺着されるボルト（１００）の先端部分が出てくることを可能にするための凹み（２）である。
【００１６】  左側のボス部（４）は図１０に示すように上部が半円形で、下部は長方形をなしており、その中央部にねじ穴（３）が貫通している。
【００１７】  右側の端部（５）には貫通穴（６）を穿設しており、この貫通穴（６）にはアーム部（８）をティグラウンドに回動可能に固定（セット）する軸部（１７）が挿入される。
【００１８】  アーム部（１）の上面の右側には上部が開口した略半円形のボス部（７）が設けられており、前記ボス部（７）には使用しない時の軸部（１７）が挿入、保持される。
【００１９】  アーム部（１）の凹み（２）の右側に２個の小さな貫通穴（８）が明けられている。この貫通穴（８）は市販の紐（２３）を通すための穴である。軸部（１７）が半円形のボス部（７）から脱落する危険性が考えられる。万が一に備え、軸部（１７）のつば部（１８）に設けた貫通穴（２０）とアーム部（１）の貫通穴（８）とを前記市販の紐（２３）で結び連結するために設けたものである。
【００２０】  アーム部（１）の凹み（２）の左側に１個の小さな貫通穴（９）が明けられているが、この貫通穴（９）はグリーン上のプレイで使う市販のマーカー（２２）をセット可能にするための穴である。
【００２１】  次に図１１〜図１３を用い２ウエイティブロック（１０）の説明をする。図１１に示す  ように２ウエイティブロック（１０）は中央部に市販の樹脂製ボルト（１００）を通す  ための貫通穴（１３）が穿設されている。
【００２２】  図１１に示すように２ウエイティブロック（１０）のボス部形状は下面が半円形であり、上面が長方形をなしている。前記上面部には円錐形の凹み（１６）が設けられており、ここにゴルフボール（１１０）をセットすることが出来る。
【００２３】  さらに、図１１に示すように２ウエイティブロック（１０）の左側にはねじ切りをした軸部（１１）が設けられており、ここにはドライバー用のピース（１４）が螺着される。
【００２４】  ドライバーピース（１４）は図１４に示す如く、円筒形のピースで左側の端面にゴルフボール（１１０）をセットするための円錐形の凹み（１６）が設けられている。反対側の端面には２ウエイティの軸部（１１）に螺着するためのねじ穴（１５）が貫通している。
【００２５】  図１５に軸部（１７）の形状を示す。軸部（１７）はアーム部（１）をティグラウンドに回動可能に固定（セット）するものである。軸部（１７）の左側はティグラウンドに突き刺すために必要な先端部分の突起（２１）が設けられており、右側にはアーム部（１）の上面を押さえつけるために必要なつば（１８）を設け、かつ、その上には軸部（１７）をティグラウンドから抜き出すときに、つまむことが出来るようにセレーション加工した突起（１９）を設けている。さらに、つば（１８）には紐を通す小さな貫通穴（２０）が穿設されている。
【００２６】  各構成部品の組み付けは以下の要領で行う。まず、ドライバーピース（１４）を２ウエイティブロック（１０）のねじ切りをした軸部（１１）にねじ込み、次にその２ウエイティブロック（１０）を市販の樹脂製ボルト（１００）を使用してアーム部（１）の左側のボス部（４）に軽く締め付け、２ウエイブロックが回動可能な状態にし、その後に軸部（１７）をアーム部（１）の上面にある上部が開口した半円形のボス部（７）にセットすることで、製品として完成する。
【００２７】  次に使用方法を図２〜図６及び図１８を使って説明する。ティグラウンドで使用するときは、まず、軸部（１７）をアーム部（１）の上面にある上部が開口した半円形のボス部（７）から取り外し、アーム部（１）の下面（２４）をティグラウンド上に接地させ、軸部（１７）をアーム部（１）の端面部（５）にある穴（６）に通し、そのままティグラウンドに差し込み、固定させる。次に、２ウエイティブロック（１０）を回転させ、ドライバー用かアイアン用かを選択し、その２ウエイティブロック（１０）の上面に市販のゴルフボール（１１０）をセットすれば準備は完了する。
【００２８】  なお、ドライバー用のティを使用する場合、ねじで取り付けられているドライバーピース（１４）を回転させて、プレイヤーの好みの高さに調整することが出来る。さらに、２ウエイティブロック（１０）のドライバー用のティを使用した際、クラブがドライバーティ部分に当たると２ウエイティブロックは打たれた力で軸部（１７）を基軸に回動し、前記クラブから受けた衝撃力を軽減する構造となっている。
【産業上の利用可能性】
【００２９】  本考案はゴルフティだけでなく、ゴルフ練習器具としても利用出来る。
【符号の説明】
【００３０】１  アーム部品（プレート）
２  凹み
３  ねじ穴
４  ボス部
５  端部
６、８、９、１３、２０  貫通穴
７  上部が開口した半円形のボス部
１０  ２ウエイティブロック
１１  軸部
１２  凹み
１４  ドライバーピース
１５  ねじ穴
１６  凹み
１７  軸部
１８  つば
１９  セレーション加工した突起
２１  突起
２２  市販のマーカー
２３  市販の紐
１００  市販の樹脂製ボルト
１１０  市販のゴルフボール
５００  ２ウエイティ
【図１】
0003208817.tif 000003
0003208817.tif 000004
【図４】
0003208817.tif 000005
【図５】
0003208817.tif 000006
【図６】
0003208817.tif 000007
0003208817.tif 000008
【図９】
0003208817.tif 000009
【図１０】
0003208817.tif 000010
【図１１】
0003208817.tif 000011
【図１２】
0003208817.tif 000012
【図１３】
0003208817.tif 000013
【図１４】
0003208817.tif 000014
【図１５】
0003208817.tif 000015
【図１６】
0003208817.tif 000016
【図１７】
0003208817.tif 000017
【図１８】
0003208817.tif 000018
【手続補正書】
【提出日】平成28年12月21日(2016.12.21)
【手続補正２】
【補正対象書類名】図面
【補正対象項目名】全図
【補正方法】変更
【補正の内容】
【図１】
0003208817.tif 000019
【図２】
0003208817.tif 000020
【図３】
0003208817.tif 000021
【図４】
0003208817.tif 000022
【図５】
0003208817.tif 000023
【図６】
0003208817.tif 000024
【図７】
0003208817.tif 000025
【図８】
0003208817.tif 000026
【図９】
0003208817.tif 000027
【図１０】
0003208817.tif 000028
【図１１】
0003208817.tif 000029
【図１２】
0003208817.tif 000030
【図１３】
0003208817.tif 000031
【図１４】
0003208817.tif 000032
【図１５】
0003208817.tif 000033
【図１６】
0003208817.tif 000034
【図１７】
0003208817.tif 000035
【図１８】
0003208817.tif 000036